【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
無線装置のグループ及び携帯型装置を有する無線通信のためのシステムであって、各々の装置は他の装置とデータを無線で交換するための無線トランシーバを有し、
前記グループの第１無線装置は第１ホスト機能を提供し、前記グループの第２無線装置は第２ホスト機能を提供し、第１及び第２無線装置は同じ無線装置であるかまたは異なる無線装置であり、
無線装置の前記グループは、第１秘密データを共有し、第１秘密データに基づくそれぞれの第１セキュア接続を介して第１ホスト機能を提供する第１無線装置への無線通信のために設定され、
前記携帯型装置は、装置通信プロセッサを有し、当該装置通信プロセッサは、
第１秘密データと異なる第２秘密データに基づくペアリング手順を用いて第２ホスト機能を提供する第２無線装置との第２セキュア接続を設定し、
第２セキュア接続を介して第２指示を受信し、第２指示に従って、
第１秘密データと異なる第３秘密データに基づくそれぞれのペアリング手順を用いて前記グループの少なくとも１つの無線装置とのそれぞれの直接無線セキュア接続を設定し、
第２ホスト機能を提供する第２無線装置はホスト通信プロセッサを有し、当該ホスト通信プロセッサは、
第２秘密データに基づくペアリング手順を用いて前記携帯型装置との第２セキュア接続を設定し、
前記携帯型装置との直接無線セキュア接続を設定するために第３秘密データを適用するための第１指示を、第１セキュア接続を介して前記少なくとも１つの無線装置に転送し、
第３秘密データに基づいて前記少なくとも１つの無線装置との直接無線セキュア接続を設定するために第３秘密データを適用するための第２指示を、第２セキュア接続を介して前記携帯型装置に転送し、
前記少なくとも１つの無線装置は通信プロセッサを有し、当該通信プロセッサは、
第１セキュア接続を介して第１指示を受信し、第１指示に従って、
第３秘密データに基づくそれぞれのペアリング手順を用いて前記携帯型装置とのそれぞれの直接無線セキュア接続を設定する、システム。
【請求項２】
請求項１に記載のシステムにおいて用いられる無線通信のための携帯型装置であって、他の無線装置とデータを無線で交換するための無線トランシーバを有し、
当該携帯型装置は装置通信プロセッサを有し、当該装置通信プロセッサは、
第１秘密データと異なる第２秘密データに基づくペアリング手順を用いて第２ホスト機能を提供する第２無線装置との第２セキュア接続を設定し、
第２セキュア接続を介して第２指示を受信し、第２指示に従って、
第１秘密データと異なる第３秘密データに基づくそれぞれのペアリング手順を用いて前記グループの少なくとも１つの無線装置とのそれぞれの直接無線セキュア接続を設定する、
携帯型装置。
【請求項３】
前記装置通信プロセッサが、
グループ・オーナーとして前記直接無線セキュア接続を介する通信を制御すること、
それぞれの異なる第３秘密データに基づくそれぞれのペアリング手順を用いてそれぞれの異なるサブセットのそれぞれの無線装置とのそれぞれの異なる直接無線セキュア接続を設定すること、および／または
第３秘密データを生成して第２ホスト機能を提供する装置に転送すること、
を行うように用意にされる、請求項２に記載の携帯型装置。
【請求項４】
前記装置通信プロセッサが、
前記少なくとも１つの無線装置とのそれぞれの直接無線セキュア接続の設定を開始する前に第２セキュア接続を切断すること、
継続グループ化を提供し、それに応じて、第３秘密データに基づくそれぞれの直接無線セキュア接続を切断した後に、第３秘密データに再度基づいて更なるそれぞれの直接無線セキュア接続を設定すること、および／または
第３秘密データに基づくそれぞれの直接無線セキュア接続を切断した後、それぞれの直接無線セキュア接続を設定するために前記少なくとも１つの無線装置と再接続するときに、先のペアリングの間に取得された第２秘密データまたは第３秘密データを用いること、
を行うように用意される、請求項２に記載の携帯型装置。
【請求項５】
第２セキュア接続がWi-Fi Direct P2P接続である、および／または
前記それぞれの直接無線セキュア接続がWi-Fi Direct P2P接続である、または
前記それぞれの直接無線セキュア接続がTunneled Direct Link Setup接続である、および／または
前記ペアリング手順がWi-Fi保護アクセス手順もしくはWi-Fi Simple Configuration手順である、請求項２に記載の携帯型装置。
【請求項６】
請求項１に記載のシステムにおいて用いられる無線通信のためのホスト装置であって、
他の無線装置とデータを無線で交換するための無線トランシーバ、および
ホスト通信プロセッサを有し、当該ホスト通信プロセッサは、
第２秘密データに基づくペアリング手順を用いて前記携帯型装置との第２セキュア接続を設定し、
前記携帯型装置との直接無線セキュア接続を設定するために第３秘密データを適用するための第１指示を、第１セキュア接続を介して少なくとも１つの無線装置に転送し、
第３秘密データに基づいて前記少なくとも１つの無線装置との直接無線セキュア接続を設定するために第３秘密データを適用するための第２指示を、第２セキュア接続を介して前記携帯型装置に転送することにより、第２ホスト機能を提供する、ホスト装置。
【請求項７】
前記ホスト通信プロセッサが、
第３秘密データを生成すること、
前記携帯型装置のそれぞれの異なるインスタンスのための第３秘密データのそれぞれの異なるセットを生成すること、
前記携帯型装置が、第２セキュア接続を切断した後に、第２セキュア接続をそれぞれ再度設定するときに、第３秘密データのそれぞれの異なるセットを生成すること、
無線装置のそれぞれの異なるサブセットのための第３秘密データのそれぞれの異なるセットを生成すること、および／または
第２秘密データに基づく若しくは第２秘密データに等しい第３秘密データを生成すること、
を行うように用意される、請求項６に記載のホスト装置。
【請求項８】
前記ホスト通信プロセッサは、
第３秘密データに限られた寿命を指定すること、および／または
装置の認証レベルに応じて第３秘密データに寿命を指定すること、
を行うように用意される、請求項６に記載のホスト装置。
【請求項９】
前記ホスト通信プロセッサが、前記携帯型装置へのそれぞれの直接無線セキュア接続を設定する前に第１セキュア接続を切断するために前記少なくとも１つの無線装置に第３指示を転送するように用意される、請求項６に記載のホスト装置。
【請求項１０】
無線ドッキング・ホストまたは無線ドッキング・ステーションである、請求項６に記載のホスト装置。
【請求項１１】
請求項１に記載のシステムにおいて用いられる無線通信のための無線装置であって、
前記携帯型装置並びに前記第１及び第２無線装置とデータを無線で交換するための無線トランシーバ、および
通信プロセッサを有し、当該通信プロセッサは、
第１セキュア接続を介して第１指示を受信し、第１指示に従って、
第３秘密データに基づくペアリング手順を用いて前記携帯型装置との直接無線セキュア接続を設定する、
無線装置。
【請求項１２】
前記通信プロセッサは、前記携帯型装置へのそれぞれの直接無線セキュア接続の設定を開始するように用意される、請求項１１に記載の無線装置。
【請求項１３】
前記通信プロセッサは、
前記携帯型装置へのそれぞれの直接無線セキュア接続を設定する前にそれぞれの第１セキュア接続を切断すること、および／または
前記携帯型装置へのそれぞれの直接無線セキュア接続を切断した後にそれぞれの第１セキュア接続を復元すること、
を行うように用意される、請求項１１に記載の無線装置。
【請求項１４】
請求項１に記載の無線装置のシステムにおける無線通信のための方法であって、
第１秘密データと異なる第２秘密データに基づくペアリング手順を用いて携帯型装置と第２ホスト機能を提供する第２無線装置との間の第２セキュア接続を設定し、
前記携帯型装置との直接無線セキュア接続を設定するために第１秘密データと異なる第３秘密データを適用するための第１指示を第１セキュア接続を介して前記グループの少なくとも１つの無線装置に転送し、
第３秘密データに基づいて前記少なくとも１つの無線装置との直接無線セキュア接続を設定するために第３秘密データを適用するための第２指示を第２セキュア接続を介して前記携帯型装置に転送し、
第３秘密データに基づくそれぞれのペアリング手順を用いて前記携帯型装置と前記少なくとも１つの無線装置との間のそれぞれの直接無線セキュア接続を設定する、方法。
【請求項１５】
コンピュータで実行されたときに請求項１４に記載の方法を当該コンピュータに実行させるコンピュータ・プログラム。